(57)【特許請求の範囲】
【請求項１】
二枚のガラスパネルと、該二枚のガラスパネル間周縁にスペーサーを介在させてシール材により接着することにより中間空気層を形成した複層ガラスと、前記二枚のガラスパネルの一枚は中間空気層側の表面に金属薄膜を全面に亘って形成した反射ガラスであって、前記スペーサーのうち前記複層ガラスの少なくとも一辺に介在させるスペーサーはプリズム体により構成され、前記複層ガラスの周縁に取り付けられたサッシ枠と、前記プリズム体を通して前記反射ガラスに照射すべく前記複層ガラスの上部の前記サッシ枠内に設置された前記プリズム体と略同尺の棒状の光源、より構成され、前記プリズム体は幅方向の一端面に複数の傾斜面を形成するとともに、他端面を平坦な面として形成して該他端面より光源からの照射光を金属薄膜方向へ誘導する形状に形成したことを特徴とする反射ガラスの透視性調整構造。
【請求項２】
前記プリズム体は幅方向の一端面に傾斜面を形成するとともに、他端面を平坦な面として形成した薄板と、反射膜を積層することによって構成することを特徴とする請求項１に記載の反射ガラスの透視性調整構造。
【発明の詳細な説明】
【０００１】
【発明の属する技術分野】
この発明は、熱反射ガラス等の鏡面作用を有する反射ガラスの透視性を制御する構造に関する。
【０００２】
【従来の技術】
ビル等の建物の窓には、太陽の放射熱を反射吸収することにより、室温等の室内環境を調整し、冷暖房器具の負荷を軽減する熱線反射ガラスが一般的に使用されている。
【０００３】
熱線反射ガラスは放射熱の遮断効率が高く、省エネ効果がある一方、可視光線の透過率が高いため室内を明るく保つことができる。更に可視光線の反射率も高いので鏡面作用があり、建築物に新しい美観を付与することから、近代的ビルのデザインにおいては欠かせないものとなっている。
【０００４】
【発明が解決しようとする課題】
係る熱線反射ガラスの鏡面機能は、室外が明るい昼間においては、太陽光線を反射して室外から室内の様子が透視されずに、且つ、室内から室外の様子は透視可能であるが、夜間は逆に室内の方が明るくなるので、見えないが、室内の様子が室外から丸見えとなりプライバシーの保護が図れないものであった。
【０００５】
【課題を解決するための手段】
ガラスパネル(4)として金属薄膜(3)が形成された反射ガラス(2)が設置された窓等の開口部において、該反射ガラス(2)面に光を照射する光源(5)を設置してなる反射ガラスの透視性調整構造を構成する。
【０００６】
係る構成により室内側が明るくなる夜間においても、反射ガラス(2)の外側の明るさを確保できるので、外側からの透視性が抑制される。
【０００７】
以上をユニット化する構成としては、二枚のガラスパネル(4)と、該二枚のガラスパネル(4,4')間の周縁にスペーサー(11)を介在させてシール材(13)により接着することにより中間空気層(6)を形成した複層ガラスと、前記二枚のガラスパネル(4,4')の一は表面に金属薄膜(3)が形成された反射ガラス(2)であって、前記スペーサー(11)の一部はプリズム体(1)により構成され、前記複層ガラスの周縁に取り付けられたサッシ枠(12)と、前記プリズム体(1)を通して前記反射ガラス(2)に照射すべく前記サッシ枠(12)内に設置された光源(5)とより構成する。
【０００８】
かかる構成により、本発明を窓枠ユニットととして構成することができる。
【０００９】
又、以上の構成に加えて、プリズム体(1)は複層ガラスの少なくとも一辺に介在させるスペーサー(11)として構成してなり、光源(5)は前記プリズム体(1)と略同尺の棒状の光源(5)として構成する。かかる構成は、より広い反射ガラス(2)面に光を行き届かせるためのものである。
【００１０】
前記のプリズム体（１）は光を広角に照射すべき形状として、幅方向の一端面に複数の傾斜面を形成するとともに、他端面を平坦な面として形成することによって、反射ガラス（２）面への効率的な照射ができる。
【００１１】
更にプリズム体(1)を、幅方向の一端面を傾斜面(9)とした透明の長尺の薄板(7)と、該薄板(7)を厚さ方向に積層して構成されるプリズム体(1)と、各薄板(7)間に介在させた反射膜(8)とより構成する。
【００１２】
係るプリズム体(1)により、照射光を反射ガラス(2)面に効果的に導くことができる。即ち、薄板(7)間に反射膜(8)を介在させたため、光源(5)からの光の入射角度のばらつきが補正されると共に、薄板(7)は照射面を傾斜面(9)としたので透過光が屈折し、所望の方向に設定し効果的に光を反射ガラス(2)面に導くことができる。
【００１３】
又、以上の構成に加えて、光源(5)が設置された複層ガラスの一辺に対する辺の側の中間空気層(6)内に設置された反射体(10)と、該反射体(10)の反射面は反射ガラス(2)面側に若干傾けて設置した反射ガラス(2)の透視性調整構造を構成すれば、光源(5)から最も離れており、光が届きにくい反射ガラス(2)面にも照射することができる。
【００１４】
【発明の実施の形態】
本発明の要旨は、ガラスパネル(4)に金属薄膜(3)が形成され鏡面効果がある反射ガラス(2)に、光を照射する手段を設けてなる反射ガラス(2)の透視調整構造を構成することにある。
【００１５】
かかる構成としては、単に室外から反射ガラス(2)面へ照射するライト等の光源(5)を設置する構成もできるが、本実施の形態においては、複層ガラス及びサッシ枠(12)によるユニット化により、建築物に適する構成としている。具体例を以下に述べる。
【００１６】
一のガラスパネル(4)の片面には金属薄膜(3)が形成されており、反射ガラス(2)を構成している。金属薄膜(3)は、Au,Ag,Al,Cu,Ni,Cr,Fe,Ti,Zr等の金属を、単体若しくは金属酸化物の薄膜としてガラス表面に形成する。形成方法としては、真空蒸着法若しくはスパッタリング法が主流である。係る反射ガラス(2)により日射熱の遮蔽等の機能と共に、可視光線の反射率が高いので、ミラー効果により外観も優れている。
【００１７】
前記反射ガラス(2)と他のガラスパネル(4')間の全周縁にスペーサー(11)を介在させて接着することにより中間空気層(6)を形成し、複層ガラスを形成する。
【００１８】
スペーサー(11)と反射ガラス(2)及びガラスパネル(4)との接着は、通常ブチル系のシール材(13)を使用し、両ガラスパネル(4)とスペーサー(11)間を接着し、更に形成された複層ガラスの外周をシールする。これにより前記中間空気層(6)の密封状態を保つ。
【００１９】
スペーサー(11)は、複層ガラスの上縁に介在させるスペーサー(11)を除き、通常使用されているアルミ製の筒体で構成されており、該筒体の前記中間層に対峙する面にはスリットが形成され、スペーサー(11)内には乾燥剤が入っている。係る構成により中間層の乾燥状態を保つ。
【００２０】
複層ガラスの上縁に介在させるスペーサー(11)は、棒状のプリズム体(1)である。該プリズム体(1)は、アクリル、ガラス等を使用する。以下、プリズム体(1)の各種の構成について説明する。
【００２２】
尚、本実施の態様は複層ガラスの上縁にプリズム体(1)を形成する構成であることから、図示されるプリズム体(1)の断面形状は、全て下方への照射を想定した形状である。
【００２３】
プリズム体(1)の第二の例として、幅方向の一端面を傾斜面(9)とした薄板(7)により構成する。薄板(7)はガラス、アクリル等を使用する。かかる薄板(7)の傾斜させていない他端面より光を導入すると、傾斜させた一端面により透過する光が屈折する（図３）。かかる薄板(7)を厚さ方向に複数積層し、薄板(7)間には反射膜(8)を介在させ、プリズム体(1)を構成する。該反射膜(8)は反射ガラス(2)を構成する際の金属薄膜(3)と同様に形成される。かかる構成により、照射光をパネル面に効果的に導くことができる。又、薄板(7)の厚さ及び傾斜面(9)の角度を変えることにより、光量と角度を調整し、遠方まで効果的に照射することができる。
【００２４】
プリズム体(1)の第三の例としては、棒状のプリズム体(1)の中間空気層(6)に対峙する面に、長さ方向への複数の突条を形成する。かかる構成により、反射膜(8)はないものの、第二の例と同様の効果が得られる。又、かかる突条の幅及び形成される傾斜面(9)の角度を変更することも第二の例と同様である。
【００２５】
以上の如く構成された複層ガラスの周縁にサッシ枠(12)を取り付ける。サッシ枠(12)は通常使用されるアルミ、木製等のものである。
【００２６】
複層ガラスの上縁に取り付けられるサッシ枠(12)内には、前記プリズム体(1)を通して中間空気層(6)内に光を照射する光源(5)を配置する。光源(5)としては、前記棒状のプリズム体(1)と略同尺の線状の光源(5)（蛍光灯等）を使用する。その他、電球等を配列する構成等でもよい。
【００２７】
中間空気層(6)の下方には、長尺の反射体(10)が設置されており、かかる反射体(10)の反射面を照射するパネル面側に若干傾けて設置している。かかる構成により、光源(5)から最も離れている反射ガラス(2)面にも効果的に照射することができる。
【００２８】
尚、本実施の態様においては、複層ガラスの上縁にプリズム体(1)及び光源(5)を配置する構成しているが、これに限られることはなく、下縁、側縁としても構成可能である。又、本実施例の如く複層ガラスの一辺をプリズム体(1)とする構成以外に、その一部若しくは複数の箇所に形成するものでもよい。
【００３０】
【発明の効果】
本発明によれば、室外よりも室内が明るくなる夜間においても、室外より室内が見えることがなく、プライバシーの保護を図ることができる。又、設置が容易である等の建物に適するユニット化されたサッシ枠を構成することができる。
【図面の簡単な説明】
【図１】本発明の実施の態様を示す断面図。
【図２】薄板及び反射膜により構成されたプリズム体の断面図。
【図３】薄板の断面及び光の透過を示す。
【図４】厚さの異なる薄板より構成されるプリズム体の断面図。
【図５】プリズム体の他の実施例の断面図。
【図６】プリズム体をレンズ状とした実施例を示す断面図。
【符号の説明】
１  プリズム体
２  反射ガラス
３  金属薄膜
４,４’ ガラスパネル
５  光源
６  中間空気層
７  薄板
８  反射膜
９  傾斜面
１０  反射体
１１  スペーサー
１２  サッシ枠
１３  シール材
１４  光
【図１】
0003841917.tif 000002
【図２】
0003841917.tif 000003
【図３】
0003841917.tif 000004
【図４】
0003841917.tif 000005
【図５】
0003841917.tif 000006
【図６】
0003841917.tif 000007